(57)【要約】【課題】  磁気治療効果の高い変動磁気効果を得ることができる低消費電力の小型軽量の磁気保健器を提供する。【解決手段】  利用者の患部に対して磁気による治療効果とを与える磁気保健器において、モータ１０と、回転方向に区画してＮ極とＳ極が形成され、モータ１０によって回転される磁性回転体５３と、から成り、磁性回転体５３は一方の端に閉じた底面５０を有し、一方の端に開口５１を有する円筒形状をしており、モータ１０を磁性回転体５３の内部に収納するようにして、モータ１０の回転軸の一方の端部に底面５０の中心を固定し、モータ１０が回転動作を行うとき、磁性回転体５３の回転で変動磁気を発生させ、利用者に変動磁気による治療効果を与える。【選択図】      図５
2005342538.tif 000002
【特許請求の範囲】
【請求項１】
利用者の患部に対して磁気による治療効果を与える磁気保健器において、
モータと、
回転方向に区画してＮ極とＳ極が形成され、前記モータによって回転される磁性回転体と、から成り、
前記磁性回転体は一方の端に閉じた底面を有し、一方の端に開口を有する円筒形状をしており、前記モータを前記磁性回転体の内部に収納するようにして、前記モータの前記回転軸の一方の端部に前記底面の中心を固定し、
前記モータが回転動作を行うとき、前記磁性回転体の回転で変動磁気を発生させ、前記利用者に前記変動磁気による治療効果を与えることを特徴とする磁気保健器。
【請求項２】
前記モータは、一定の時間間隔で回転と停止を交互に繰り返す動作をするための間欠モータ駆動装置を備えることを特徴とする請求項１記載の磁気保健器。
【請求項３】
前記磁性回転体の回転停止時、利用者の患部にＮ極が対向するように停止することを特徴とする請求項２記載の磁気保健器。
【発明の詳細な説明】
【技術分野】
【０００１】
本発明は磁気保健器に関し、特に、磁気による治療効果を与える磁気保健器に関するものである。
【背景技術】
【０００２】
生体へ及ぼす磁気の影響については多くの研究がなされており、基礎的研究から応用まで幅広く行われている。磁気の生体への影響を考える上では、定常磁気効果と変動磁気効果の二種類の効果が必要であり、これらの効果は、生体への作用として異なるものであると考えられる。
【０００３】
定常磁気効果は、多くの研究にもかかわらず、まだ、明らかにされていない点が多い。しかし、生体内には磁石の性質を持たないが磁石に弱いながらも引きつけられる性質を持つ常磁性体が存在する。代表的な生体内の常磁性体として、血液中の赤血球内のヘモグロビンと酸素が上げられる。これらの生体内常磁性体が定常磁気効果になんらかの関与をしていることが考えられる。
【０００４】
他方、変動磁気効果は、ある程度明らかにされている。生体を構成する組織や体液はすべて電気を通す導体からなっており、そのため、変動磁気を生体に与えることにより、磁束の量が変化し電磁誘導が起こり生体内にイオン電流がうず電流として流れる。それにより、細胞膜の興奮が引き起こされ、すなわち、刺激効果となって現れると考えられている。また、血液中のイオンに対しても影響を与え、血行促進にも効果があると考えられる。
【０００５】
生体での定常磁気効果や変動磁気効果を応用した製品として磁気治療器が提案されている。
【０００６】
定常磁気効果を応用したものには、特許文献１に開示されているように、円形状の合成樹脂シートに複数個の円盤状の永久磁石を、一定の間隔を有して埋め込んだ磁気治療器がある。これを人体に接するように配置することにより、腰痛に鎮痛効果を与えることができる。
【０００７】
変動磁気効果を応用したものには、特許文献２に開示されているように、磁界を発生させる棒状の磁石と、磁石のＳ極とＮ極を結ぶ軸心の周りを時計回りに高速回転させる回転手段とを備え、磁石のＳ極を被照射対象に対向させて回転手段で回転させて、磁界を回転させる磁気治療器がある。この治療器では磁界の回転が起こり、細胞を正常な状態に回復でき、高い治療効果が得られるものである。
【０００８】
また、磁気効果に加えて、機械的振動を与えて患部をマッサージすることができる磁気治療器が、特許文献３に開示されている。この磁気治療器は、パルス発生器に電気的に接続された環状のパルス電磁界発生器と、パルス電磁界発生器の環内で作動する振動発生器とからなり、振動発生器は金属片の一部に永久磁石を取り付け、残部にコイルを巻き、コイルの両端に表示ランプを接続した構成となっている。この治療器では、環状のパルス電磁界発生器の環内に腕や足を挿入し、パルス電磁界発生器の磁気作用で人体の骨癒合作用と血行を促進させる作用と共に、振動発生器から発する振動によりマッサージ効果を与えることができる。
【特許文献１】特開平１０−５７５１０号公報
【特許文献２】特開平１１−２８５５３９号公報
【特許文献３】実開平５−５１４７号公報
【発明の開示】
【発明が解決しようとする課題】
【０００９】
しかしながら、特許文献１で開示された磁気治療器では定常磁気効果は得られるが、細胞膜を興奮させるような刺激を与え高い治療効果がある変動磁気効果を得ることができないという問題点がある。
【００１０】
また、特許文献２で開示された磁気治療器では、磁界の回転は起こるが、患部を囲んだ領域での磁束の量の変化は起こらないため、磁束の量の変化によって起こる電磁誘導による生体内のイオン電流が生じないので、治療効果の高い変動磁気効果を得ることができないという問題点がある。
【００１１】
さらに、特許文献３で開示された磁気治療器では、変動磁気効果と機械的振動によるマッサージ効果を得ることはできる。しかし、パルス電磁界発生器の環状部に腕や足などを通した状態で用いるため、磁束の量の変化は、腕や足の皮膚の表面に垂直な方向で起こる。そのため、磁束の量の変化によって起こる電磁誘導によるうず電流は、腕や足の長さ方向に垂直な面で起こる。それにより、腕や足の長さ方向に走る動脈や静脈での血液の流れのベクトルに対して垂直であり、血液内のイオンの血流方向への流れには影響を及ぼさない。それゆえ、血行の促進には充分ではないという問題点がある。また、機械的振動を与えるためにパルス電磁界発生器の環内で作動する振動発生器を設けてあり、生体に与える電磁界を発生するためのパルス電磁界発生器から出力される電磁界のエネルギの一部を用いて振動発生器を動作させる構造を有している。そのため、生体の治療に用いられる電磁界のエネルギ以外での電磁界のエネルギの損失が大きく、消費電力が高くなるという問題点がある。さらに、パルス電磁界発生器を用いるため装置が大きくなり、磁気治療器全体を小型で軽量にすることが困難であるという問題点がある。
【００１２】
本発明の目的は、上記問題を解決するため、磁気治療効果の高い変動磁気効果を得ることができる低消費電力の小型軽量の磁気保健器を提供することである。
【課題を解決するための手段】
【００１３】
本発明に係る磁気保健器は、上記の目的を達成するために、次のように構成される。
【００１４】
第１の磁気保健器（請求項１に対応）は、利用者の患部に対して磁気による治療効果を与える磁気保健器において、モータと、回転方向に区画してＮ極とＳ極が形成され、モータによって回転される磁性回転体と、から成り、磁性回転体は一方の端に閉じた底面を有し、一方の端に開口を有する円筒形状をしており、モータを磁性回転体の内部に収納するようにして、モータの回転軸の一方の端部に底面の中心を固定し、モータが回転動作を行うとき、磁性回転体の回転で変動磁気を発生させ、利用者に変動磁気による治療効果を与えることで特徴づけられる。これにより、モータが磁性回転体の内部に収納するようにしたため、小型軽量の磁気保健器を得ることができる。
【００１５】
第２の磁気保健器（請求項２に対応）は、上記の構成において、好ましくはモータは、一定の時間間隔で回転と停止を交互に繰り返す動作をするための間欠モータ駆動装置を備えることで特徴づけられる。これにより、磁性回転体が回転と停止を交互に繰り返すことで磁性回転体が回転するときの変動磁気効果に加えて磁性回転体が停止しているときの定常磁気効果も得ることができる。
【００１６】
第３の磁気保健器（請求項３に対応）は、上記の構成において、好ましくは磁性回転体の回転停止時、利用者の患部にＮ極が対向するように停止することで特徴づけられる。これにより、磁性回転体の回転停止時にＮ極からの定常磁気が利用者の患部にあたるため、より大きな定常磁気効果が得ることができる。
【発明の効果】
【００１７】
本発明によれば、モータが磁性回転体の内部に収納するようにしたため、小型軽量の磁気保健器を得ることができる。また、本発明によれば、磁性回転体が回転と停止を交互に繰り返すことで磁性回転体が回転するときの変動磁気効果に加えて磁性回転体が停止しているときの定常磁気効果も得ることができる。さらに、本発明によれば、磁性回転体の回転停止時にＮ極からの定常磁気が利用者の患部にあたるため、より大きな定常磁気効果が得ることができる。
【発明を実施するための最良の形態】
【００１８】
以下に、本発明の好適な実施形態（実施例）を添付図面に基づいて説明する。
【００１９】
図１は、本発明に係る磁気保健器の前提となる基本的構成を有する磁気保健器１の透視図を示したものである。磁気保健器１は、モータ１０の回転軸１１の一方の端部に磁性回転体１２を取り付け、モータ１０を固定するようにケース１３に収容して構成する。また、磁気保健器１は、電源ユニット１４の電池１５と電源スイッチ１６をケース１３の蓋体１７側に収容すると共に、モータ駆動回路を駆動回路基板１８に取り付けて構成し、モータと共にケース１３内に収容している。
【００２０】
磁性回転体１２の形状を図２の（ａ）〜（ｄ）に示す。図２において、（ａ）は磁性回転体１２の斜視図、（ｂ）は磁性回転体１２の側面図、（ｃ）は磁性回転体１２の左端面図、（ｄ）は磁性回転体１２の右端面図である。磁性回転体１２は回転方向に２半部（区画）に区分して一方をＮ極１９、他方をＳ極２０に着磁した後、Ｓ極２０側の一部を取り除いた構造であり、モータ１０の回転軸１１に通して固定するための孔２１をあけたものである。磁性回転体の素材としては、径方向異方性を持つ異方性磁石が最適である。なお、この例では、Ｓ極２０側の一部を取り除いた構造としたが、磁性回転体として回転方向に２半部（区画）に区分して一方をＮ極、他方をＳ極に着磁した後、Ｎ極側の一部を取り除いた構造でもよい。
【００２１】
モータ１０は、電池などのＤＣ電源で駆動する小型ＤＣモータを用い、そのモータの回転軸１１は、磁性回転体１２の孔２１に挿入し、強固に固定できる程度の長さと太さを持つように、モータから突出するようにしたものである。
【００２２】
電源ユニット１４は、図３に示すように、電池１５と電源スイッチ１６とモータ駆動回路から成る。モータ駆動回路は、水晶発振子２２および２個の並列接続されるコンデンサ２３からなる発振器２４と、発振器２４からの出力を入力して外部端子２５に連なる出力端子から所定電圧を出力するモータ駆動用ＩＣ２６とで構成した。なお、図中２７は、モータ駆動用ＩＣ２６と電池１５の陽極側を接続するリード線、２８はモータ駆動用ＩＣ２６と電池１５の陰極側を接続するリード線を示す。また、２９はモータに流れる電流を制御するための抵抗を示す。
【００２３】
駆動回路基板１８には、電源ユニット１４のうち、電池１５と電源スイッチ１６以外の部品が取り付けられている。
【００２４】
ケース１３と蓋体１７は非磁性の合成樹脂材料によって構成されている。ケース本体には窓３０が設けられており、ケース１３内に収容した磁性回転体１２のＮ極１９に着色した赤色とＳ極２０のフェライトなどの磁石の素材の色が見えるようにした。
【００２５】
電源スイッチ１６は、蓋体１７に設けられ接続金具３１と接続金具３３からなっており、蓋体１７をケース本体１３に対して閉蓋状態にすることにより、接続金具３１と接続金具３３とが接続状態となって通電状態となるように構成されている。
【００２６】
次に磁気保健器１の使用方法と動作について説明する。蓋体１７をケース本体１３に対して閉蓋状態にすることにより、蓋体１７に設けた電源スイッチ１６の接続金具３１と、接続金具３３とが接続状態となって通電状態となる。その状態になった磁気保健器１を図４に示すように人体（利用者）３４の肩や腰などの患部に粘着テープ３５により貼り付ける。
【００２７】
磁気保健器１は、通電状態となっているため、電池１５の電圧が発振器２４から一定周期のパルス電圧、例えば１秒間に一回のパルス電圧が出力され、これがモータ駆動用ＩＣ２６に入力されて、モータ駆動用ＩＣ２６の出力端子２５に一定周期でハイレベルのパルス電圧が出力される。
【００２８】
それにより、出力端子２５に接続されたモータ１０が回転（例えば１〜２秒）と回転停止（例えば５〜１０秒）を交互に繰り返し、モータ１０の回転軸１１に取り付けられた磁性回転体１２が回転と回転停止を繰り返す。この停止のときには、好ましくは、磁性回転体１２のＮ極１９が人体に向けられるように制御する。この制御の一方法として、例えば、ケース１３の内側上部にＮ極を磁性回転体１２側に向けた小型磁石を付加しておくことが考えられる。それにより、磁性回転体１２が停止するとき、磁性回転体１２のＮ極１９側が人体に向いた状態になる。
【００２９】
その結果、磁性回転体１２が回転するときにはＮ極とＳ極が交互に患部に対向するように作られる変動磁気が人体の患部に当てられ、磁性回転体１２が回転停止のときには定常磁気が人体の患部に当てられ、変動磁気効果と定常磁気効果を交互に起こすことができる。上記の変動磁気によれば、Ｎ極による磁気とＳ極による磁気が患部に対して交互に繰り返して照射される。
【００３０】
また、モータ１０が回転作動し、磁性回転体１２が回転するとき、磁性回転体１２のＳ極２０の一部が取り除かれ、磁性回転体１２の重心の位置が、回転軸１１と異なっているため、ケース全体に機械的振動が生じる。この機械的振動により、磁気保健器１が貼り付けられている患部にマッサージ効果が得られる。
【００３１】
なお、上記の例では、モータ１０の駆動を回転と停止を交互に繰り返すようにしたが、モータ１０の駆動を回転のみにして、連続的な変動磁気効果と機械的振動をおこすようにして連続的なマッサージ効果を起こすようにしてもよい。
【００３２】
次に図５を参照して本発明に係る磁気保健器の代表的な実施形態を説明する。この磁気保健器は、一方の端に閉じた底面５０を有し、他の一方の端に開口５１を有する円筒形状（内部に中空部５２を有する）の磁性回転体５３を、モータ１０を磁性回転体５３の内部に収納するようにモータ１０の回転軸１１の端部に底面５０の中心で固定し、分銅４４を回転軸１１の他の端部に固定して取り付けて構成している。なお図５において、前述した基本的構成を有する磁気保健器１の構成部品と同じ構成部品には、同様の符号を付している。
【００３３】
この磁気保健器の蓋体を閉じ電源スイッチ１６を入れ通電状態にして、粘着テープ３５により患部に張り付ける。モータ１０の回転と停止が交互に行われるため、磁性回転体５３によって、変動磁気と定常磁気が交互に生じ、変動磁気効果と定常磁気効果が得ることができる。なお分銅４４の回転によりケースの機械的振動が起こり、マッサージ効果を得ることもできる。
【産業上の利用可能性】
【００３４】
本発明は、磁気による治療効果を与える磁気保健器として利用される。
【図面の簡単な説明】
【００３５】
【図１】本発明に係る磁気保健器の前提となる基本的構成を有する磁気保健器の透視図である。
【図２】基本的構成を有する磁気保健器の磁性回転体の（ａ）斜視図、（ｂ）側面図、（ｃ）左端面図、（ｄ）右端面図を含んでなる図である。
【図３】基本的構成を有する磁気保健器を構成する電源ユニットの回路図である。
【図４】基本的構成を有する磁気保健器の使用方法を示す図である。
【図５】本発明の磁気保健器の代表的な実施形態の構成を示す透視図である。
【符号の説明】
【００３６】
１０      モータ
１１      回転軸
１２      磁性回転体
１３      ケース
１４      電源ユニット
１５      電池
１６      電源スイッチ
１７      蓋体
１８      駆動回路基板
３５      磁気テープ
４４      分銅
５０      底面
５１      開口
【図１】
2005342538.tif 000003
【図２】
2005342538.tif 000004
【図３】
2005342538.tif 000005
【図４】
2005342538.tif 000006
【図５】
2005342538.tif 000007